(57)【特許請求の範囲】
【請求項１】
開放径が異なる複数の交換レンズ鏡筒に共通に用いられるマニュアル絞り装置であって、
光軸回りに回転操作される絞り設定環と、
この絞り設定環と一体に回転するカム部材と、
カメラボディ側の絞り込み部材によって光軸回りに回転駆動され、複数の絞り羽根による絞り開口の大きさを開放状態から絞り込み方向に変化させる絞り開閉板と、
該絞り開閉板の回転に連動して回動する、光軸外に回転中心を有する中間レバーと、
この中間レバーの回動範囲を、上記絞り設定環で設定された絞り値に応じて制限する上記カム部材に形成したカム面と、
上記複数の交換レンズ鏡筒の開放径に応じ、上記カム部材に選択的に装着される、絞り設定環が開放Ｆ値にあるときの中間レバーの回動範囲を、カム部材のカム面による回動範囲より広げて絞り羽根による絞り開口を拡大する開放Ｆ値設定部材と、
を有することを特徴とする交換レンズ鏡筒の共用マニュアル絞り装置。
【請求項２】
請求項１記載の交換レンズ鏡筒の共用マニュアル絞り装置において、上記カム面に、上記中間レバーに突設した係合ピンを接触させて、上記中間レバーの回動範囲を制限するようにした交換レンズ鏡筒の共用マニュアル絞り装置。
【請求項３】
請求項２記載の交換レンズ鏡筒の共用マニュアル絞り装置において、上記開放Ｆ値設定部材が、上記係合ピンに当接して、上記係合ピンを上記カム面から離間させる調整カムである交換レンズ鏡筒の共用マニュアル絞り装置。
【請求項４】
請求項３記載の交換レンズ鏡筒の共用マニュアル絞り装置において、上記調整カムが、上記カム部材に選択的に取り付けられる、径の大きさが異なる複数の円柱状の軸部材である交換レンズ鏡筒の共用マニュアル絞り装置。
【請求項５】
請求項３記載の交換レンズ鏡筒の共用マニュアル絞り装置において、上記調整カムが、円柱状の軸部材と、該軸部材に突設された、上記カム部材に取り付けられる偏芯ピンとを備える交換レンズ鏡筒の共用マニュアル絞り装置。
【発明の詳細な説明】
【０００１】
【技術分野】
本発明は、仕様の異なる複数の交換レンズに共通して装着可能なマニュアル絞り装置に関し、特に、各交換レンズの開放絞り時において、絞り羽根が各交換レンズの撮影開口の内側に突出しないようにして、撮影開口を完全に開放しうるようにした交換レンズ鏡筒のマニュアル絞り装置及び共用マニュアル絞り装置に関する。
【０００２】
【従来技術及びその問題点】
交換レンズに装着されるマニュアル絞り装置の一例としては、交換レンズのレンズ鏡筒に外嵌される光軸回りに回転操作される絞り設定環と
、この絞り設定環と一体に回転するマニュアルカム板と、カメラボディ側の絞り込み部材によって光軸回りに回転駆動され、複数の絞り羽根による絞り開口の大きさを開放状態から絞り込み方向に変化させる絞り開閉板と、該絞り開閉板の回転に連動して回動する、光軸外に回転中心を有する中間レバーと、この中間レバーの回動範囲を、上記絞り設定環で設定された絞り値に応じて制限する上記マニュアルカム板に形成されたカム面とを備えるものがある。
【０００３】
このマニュアル絞り装置を、仕様の異なる複数の交換レンズに共通して装着する場合、各交換レンズの仕様の相違に起因して、各交換レンズの絞り設定環を開放絞り値に設定しても、各交換レンズごとの絞り径が微妙に異なることがあり、ある交換レンズでは、開放絞りにした際に、絞り羽根が交換レンズに設けられた撮影開口を完全に開放するのに対し、他の交換レンズでは絞り羽根の一部が撮影開口の内側にはみ出し、撮影開口を全開できないことがある。
【０００４】
このような問題を解決するためには、上記のマニュアルカム板を、上記のカム面とは形状の異なるカム面が形成されたマニュアルカム板に交換し、このカム面により中間レバーの回転範囲を広げて、開放絞り時に、絞り羽根を撮影開口を全開にする位置まで回動させればよい。
【０００５】
しかし、このようにマニュアルカム板を別のマニュアルカム板に交換する場合は、マニュアルカム板の交換作業が面倒であるとともに、マニュアルカム板の交換コストが大きな負担になってしまう。
【０００６】
【発明の目的】
本発明は、仕様の異なる複数の交換レンズにマニュアル絞り装置を共通して装着できるとともに、いずれの交換レンズに装着しても、開放絞り時に交換レンズの撮影開口を完全に開放でき、かつ、他の交換レンズに装着する際に、大がかりな部品の交換作業を要せず、部品の交換コストを最小限に止めることができる交換レンズ鏡筒のマニュアル絞り装置及び共用マニュアル絞り装置を提供することを目的とする。
【０００７】
【発明の概要】
本発明のレンズ鏡筒は、開放径が異なる複数の交換レンズ鏡筒に共通に用いられるマニュアル絞り装置であって、光軸回りに回転操作される絞り設定環と、この絞り設定環と一体に回転するカム部材と、カメラボディ側の絞り込み部材によって光軸回りに回転駆動され、複数の絞り羽根による絞り開口の大きさを開放状態から絞り込み方向に変化させる絞り開閉板と、該絞り開閉板の回転に連動して回動する、光軸外に回転中心を有する中間レバーと、この中間レバーの回動範囲を、上記絞り設定環で設定された絞り値に応じて制限する上記カム部材に形成したカム面と、上記複数の交換レンズ鏡筒の開放径に応じ、上記カム部材に選択的に装着される、絞り設定環が開放Ｆ値にあるときの中間レバーの回動範囲を、カム部材のカム面による回動範囲より広げて絞り羽根による絞り開口を拡大する開放Ｆ値設定部材と、を有することを特徴としている。
【００１３】
上記カム面に、上記中間レバーに突設した係合ピンを接触させて、上記中間レバーの回動範囲を制限するようにすることができる。
【００１４】
また、上記開放Ｆ値設定部材を、上記係合ピンに当接して、上記係合ピンを上記カム面から離間させる調整カムとすることができる。
【００１５】
さらに、上記調整カムを、上記カム部材に選択的に取り付けられる、径の大きさが異なる複数の円柱状の軸部材とすることができる。
【００１６】
また、上記調整カムが、円柱状の軸部材と、該軸部材に突設された、上記カム部材に取り付けられる偏芯ピンとを備えるものとすることができる。
【００１７】
【発明の実施の形態】
以下、本発明のマニュアル絞り装置を、仕様の異なる２種類の交換レンズＡ、Ｂに装着した一実施形態について、添付図面を参照しながら説明する。
【００１８】
図１乃至図５は、第１仕様の交換レンズＡにマニュアル絞り装置を装着した例を示している。
【００１９】
レンズ鏡筒１内部の前端部にはレンズ群Ｌが装着されており、レンズ鏡筒１の後端部には、カメラボディ（図示略）のレンズ鏡筒取付部に係合可能な係合部１ａが形成されている。
【００２０】
レンズ鏡筒１の外周面に形成された環状凹部１ｂには、光軸Ｏ回りに回転自在な絞り設定環３が嵌合している。
絞り設定環３とレンズ鏡筒１の間には、絞り設定環３の回転方向の位置を３段階に位置決めするクリックストップ機構（図示略）が設けられており、このクリックストップ機構により、絞り設定環３を開放絞り位置（図３参照）と中間絞り位置（図４参照）と最小絞り位置（図５参照）の３カ所に位置決めすることができる。
【００２１】
レンズ鏡筒１には、レンズ鏡筒１を径方向に貫通するとともに、後述する係合片５ａよりも周方向の幅が広い貫通孔１ｃが設けられており、絞り設定環３の内周面には凹部３ａが形成されている。
【００２２】
レンズ鏡筒１の内部には、中心部に円形孔が穿設された正面視環状のマニュアルカム板（カム部材）５が光軸Ｏ回りに回転自在として嵌合されており、マニュアルカム板５の外周部に突設された係合片５ａが、貫通孔１ｃを通って絞り設定環３の凹部３ａに嵌合している。
【００２３】
マニュアルカム板５には後述する調整カム１９のネジ部１９ａを螺合するためのネジ孔５ｂが穿設されており、マニュアルカム板５の外周部には、後述する係合ピン１５ｂが係合するカム面５ｃが形成されている。
【００２４】
レンズ鏡筒１の内部には、環状の絞り開閉カム板７（絞り開閉板）が光軸Ｏ回りに回転自在に嵌合しており、後面には、後述する中間レバー１５の係合溝１５ａに係合する動力伝達ピン７ａが突設されている。
【００２５】
絞り開閉カム板７には、光軸Ｏ方向後向きの動力伝達片７ｂが突設されている。
この動力伝達片７ｂは、マニュアルカム板５の内周部に形成された、動力伝達片７ｂより周方向の幅が広い案内溝５ｄに遊嵌し、かつ、その後端部が、カメラボディ内に設けられた、シャッターボタン（図示略）に連動して作動する絞り込み部材（図示略）に連係されている。
【００２６】
絞り開閉カム板７には、９本のカム溝７ｃが周方向に並べて穿設されており、各カム溝７ｃには、９枚の絞り羽根９の後面にそれぞれ突設されたピン９ａが係合している。各絞り羽根９の前面に突設された支持ピン９ｂは、レンズ鏡筒１の支持板取付面１ｄに固定された環状の支持板１１の支持孔１１ａに回転自在に嵌合している。
【００２７】
支持板１１の中央部には、光軸Ｏを中心とする円形の撮影開口１１ｂが穿設されている。支持板１１には３つの長孔１１ｃが１２０°間隔で周方向に並べて穿設されており、各長孔１１ｃに挿入した調整ネジ１３を支持板取付面１ｄに穿設されたネジ孔１ｅに螺合することにより、支持板１１が支持板取付面１ｄに固定されている。
【００２８】
支持板１１と絞り開閉カム板７の間は、絞り羽根９を収納するための収納空間Ｓとなっており、支持板１１と絞り開閉カム板７の間には、絞り開閉カム板７を反時計方向に回転付勢する付勢バネ（図示略）が設けられている。
【００２９】
レンズ鏡筒１の中間レバー取付面１ｆには、正面視略扇形をなす中間レバー１５がピン１７をもって枢着されている。
中間レバー１５には、動力伝達ピン７ａと係合する係合溝１５ａが設けられており、後面には、カム面５ｃと後述する調整カム１９とに選択的に接触する係合ピン１５ｂが突設されている。
【００３０】
上述の絞り設定環３、マニュアルカム板５、絞り開放カム板７、絞り羽根９、支持板１１、中間レバー１５によりマニュアル絞り装置が構成されている。
【００３１】
次に、上述の第１仕様の交換レンズＡの作用について説明する。
【００３２】
図３に示すように、シャッターボタンを押さない状態で、絞り設定環３を開放絞り位置に移動させると、付勢バネの付勢力により絞り開閉カム板７が、中間レバー１５の係合ピン１５ｂをカム面５ｃに当接させるまで反時計方向に回動し、各絞り羽根９が撮影開口１１ｂを全開にする。
【００３３】
この状態でシャッターボタンを押すと、カメラボディ内の絞り込み部材により動力伝達片７ｂと絞り開閉カム板７が時計方向に回転させられ、各絞り羽根９が撮影開口１１ｂの内側に突出して撮影開口１１ｂを全閉する（図示略）。
【００３４】
図４に示すように、シャッターボタンを押さない状態で、絞り設定環３を中間絞り位置に移動させると、絞り径が図３に比べて小さくなり、図５に示すように絞り設定環３を最小絞り位置に移動させると、絞り径は最小となる。
図４及び図５の状態でシャッターボタンを押せば、各絞り羽根９が撮影開口１１ｂの内側に突出して撮影開口１１ｂを全閉する（図示略）。
【００３５】
次に、第２仕様の交換レンズＢにマニュアル絞り装置を装着した例を、図６乃至図１０を参照しながら説明する。
なお、第１仕様の交換レンズＡの構成部材と機能は同じであるが仕様が異なる構成部材には、第１仕様の構成部材の符号に「’」を付けた符号を付すに止めて、その詳細な説明は省略する。
【００３６】
レンズ鏡筒１’にはレンズ群Ｌ’とマニュアル絞り装置が取り付けられており、交換レンズＡと同様に、絞り設定環３を回転操作することによりシャッターボタン非作動時の絞り径を変化させることができる。
【００３７】
この交換レンズＢでは、レンズ群Ｌ’の焦点距離がレンズ群Ｌと違うこと等に起因して、絞り設定環３が中間絞り位置（図８の状態）と最小絞り位置（図９の状態）にあるときの、シャッターボタン非作動時における絞り径の大きさが、第１仕様の交換レンズＡのそれに比べて小さく設定されている。
この絞り径の設定は、調整ネジ１３と長孔１１ｃの位置関係を調整することにより行われる。
【００３８】
このように絞り設定環３が中間絞り位置と最小絞り位置にあるときの絞り径を第１仕様の交換レンズＡに比べて小さくすると、図１０に示すように、そのままでは開放絞り時の絞り径が撮影開口１１ｂの径より小さくなり、絞り羽根９の一部が撮影開口１１ｂの内側に位置して、撮影開口１１ｂを完全に開放できない。そのため、マニュアルカム板５のネジ孔５ｂに調整カム（開放Ｆ値設定部材）１９のネジ部１９ａを螺合して、マニュアルカム板５に調整カム１９を取り付けている。
この調整カム１９は円柱状の部材であり、図７乃至図９に示すように、その外周面の一部が光軸Ｏから見てカム面５ｃの外側に位置している。
【００３９】
このような調整カム１９をマニュアルカム板５に取り付けることにより、図７に示すように、開放絞り時に、付勢バネの付勢力により時計方向に回転させられた絞り開閉カム板７に連動して、中間レバー１５が、係合ピン１５ｂが調整カム１９に当接するまで回動するので、絞り開閉カム板７の時計方向の回動範囲が図１０の状態に比べて大きくなる。
この結果、各絞り羽根９は収納空間Ｓ内に引き上げられ、撮影開口１１ｂが完全に開放される。
【００４０】
このような本実施形態によれば、調整カム１９をマニュアルカム板５のネジ孔５ｂに着脱するだけで、仕様の異なる複数の交換レンズＡ、Ｂに、同じマニュアル絞り装置を共通して装着することができ、いずれの交換レンズＡ、Ｂでも、開放絞り時に撮影開口１１ｂを完全に開放することができる。
【００４１】
この際、従来のようにマニュアルカム板５を別個のマニュアルカム板に交換する必要がなく、単に調整カム１９を着脱するだけでよいので、大がかりな部品の交換作業を要せず、部品の交換コストを最小限に止めることができる。
【００４２】
なお、上記の仕様とは異なる仕様の交換レンズ（図示略）にマニュアル絞り装置を装着する場合には、上記の調整カム１９とは径の異なる調整カム（図示略）をネジ孔５ｂに螺合して、この調整カムにより開放絞り時の絞り羽根９の引き上げ量を調整すればよい。
また、このように径の異なる調整カムを用いる代わりに、ネジ部が偏芯している調整カム（図示略）を一つ用意すれば、一つの調整カムにより、仕様の異なる複数の交換レンズの開放絞り時の絞り羽根９の引き上げ量を調整することができる。
【００４３】
【発明の効果】
本発明によれば、仕様の異なる複数の交換レンズにマニュアル絞り装置を共通して装着できるとともに、いずれの交換レンズに装着しても、開放絞り時に交換レンズの撮影開口を完全に開放でき、かつ、他の交換レンズに装着する際に、大がかりな部品の交換作業を要せず、部品の交換コストを最小限に止めることができる。
【図面の簡単な説明】
【図１】本発明の一実施形態の交換レンズＡの要部の側方から見た模式図である。
【図２】同じく、交換レンズＡの要部の分解斜視図である。
【図３】同じく、交換レンズＡの図１のIII-III線に沿う開放絞り時の拡大縦断正面図である。
【図４】同じく、交換レンズＡの中間絞り時の図３と同様の拡大縦断正面図である。
【図５】同じく、交換レンズＡの最小絞り時の図３と同様の拡大縦断正面図である。
【図６】同じく、交換レンズＢの要部の側方から見た模式図である。
【図７】同じく、交換レンズＢの図６のVII-VII線に沿う開放絞り時の拡大縦断正面図である。
【図８】同じく、交換レンズＢの中間絞り時の図７と同様の拡大縦断正面図である。
【図９】同じく、交換レンズＢの最小絞り時の図７と同様の拡大縦断正面図である。
【図１０】同じく、交換レンズＢから調整カムを取り外した場合の開放絞り時の図７と同様の拡大縦断正面図である。
【符号の説明】
１      レンズ鏡筒
１’    レンズ鏡筒
１ａ    係合部
１ａ’  係合部
１ｂ    環状凹部
１ｂ’  環状凹部
１ｃ    貫通孔
１ｃ’  貫通孔
１ｄ    支持板取付面
１ｄ’  支持板取付面
１ｅ    ネジ孔
１ｅ’  ネジ孔
１ｆ    中間レバー取付面
１ｆ’  中間レバー取付面
３      絞り設定環
３ａ    凹部
５      マニュアルカム板（カム部材）
５ａ    係合片
５ｂ    ネジ孔
５ｃ    カム面
５ｄ    案内溝
７      絞り開閉カム板（絞り開閉板）
７ａ    動力伝達ピン
７ｂ    動力伝達片
７ｃ    カム溝
９      絞り羽根
９ａ    ピン
９ｂ    支持ピン
１１    支持板
１１ａ  支持孔
１１ｂ  撮影開口
１１ｃ  長孔
１３    調整ネジ
１５    中間レバー
１５ａ  係合溝
１５ｂ  係合ピン
１７    ピン
１９    調整カム（開放Ｆ値設定部材）
１９ａ  ネジ部
Ａ      交換レンズ
Ｂ      交換レンズ
Ｌ      レンズ群
Ｌ’    レンズ群
Ｏ      光軸
Ｓ      収納空間
【図１】
0004087089.tif 000002
【図２】
0004087089.tif 000003
【図３】
0004087089.tif 000004
【図４】
0004087089.tif 000005
【図５】
0004087089.tif 000006
【図６】
0004087089.tif 000007
【図７】
0004087089.tif 000008
【図８】
0004087089.tif 000009
【図９】
0004087089.tif 000010
【図１０】
0004087089.tif 000011